(57)【要約】【課題】従来の指圧器形状は、図４に示すように、テコの原理を利用した物は無く力が入らない為指圧力が弱くコリ固まった深さまで力が届かない。すぐに疲れてしまう為効果は低い。その他いろんな機構の指圧器があるが大きな力で指圧出来るものは無い。また温熱を利用したものは図５に示すように皮膚表面を直接暖めるのみなので、効果は薄く衣服を脱がなければならない。寒い冬や人前では使用出来なかった。【解決手段】指圧玉部はテコの原理が利用出来る構造とし、わずかな力で大きな指圧力が得られ、５０Ｋｇまで自由に増幅加圧出来る構造とした。自然体で疲れないで、家庭でテレビを見ながら手軽に使用出来、着脱、指圧箇所の変更、加圧量も全てワンタッチで出来る構造とした。指圧効果だけでも多大な効果を発揮するが、指圧玉部に温熱機能を設ける事により温熱効果と指圧効果の相乗効果を最大限に発揮出来る構造とした。【選択図】図１
2005087701.tif 000002
【特許請求の範囲】
【請求項１】
指圧玉部３はアーム２に取り付けられており、Ｂ点に近い方に位置する。反対側には手で握りやすいようにグリップ１を設け、Ｂ点からストッパー５との間をロープ状の物、またはクサリ等４で繋がれて成る強力指圧肩こり治療器。
【請求項２】
指圧玉部３はさらに血液循環を良くするように温熱機能を持った請求項１に記載の強力指圧肩こり治療器。
【発明の詳細な説明】
【技術分野】
【０００１】  この発明は、テコの原理を利用しわずかな力で大きな指圧力が得られ指圧効果だけでも多大な効果を発揮するが、指圧玉を暖める事によりさらに指圧効果と温熱効果の、相乗効果を最大限に期待出来る家庭用温熱強力指圧肩コリ治療器に関する。
【背景技術】
【０００２】  従来の指圧器形状は、図４に示すように、テコの原理を利用した物は無く力が入らない為指圧力が弱くコリ固まった深さまで力が届かない。すぐに疲れてしまう為効果は低い。また図５に示すように、温熱を利用したものは皮膚表面を直接暖めるのみなので、効果は薄く、衣服を脱がなければならず寒い冬や人前では使えなかった。
【特許文献１】    特許公開平９−１５４９５９
【発明の開示】
【発明が解決しようとする課題】
【０００３】従来の技術によれば、図４のような構造で力が入らない、その他いろんな機構の指圧器があるが大きな力で指圧出来るものは無い。また温熱機能の有るものは図５のような構造で衣服を脱がなければならなかった。
そこで、この発明は、わずかな力で大きな指圧力が得られ、大掛かりな装置ではなく手軽に使用出来る構造にした。また指圧玉を暖めることにより衣服の上からでも患部を温める事が出来る。指圧効果だけでも多大な効果を発揮するが、温熱効果との相乗効果を最大限に期待出来る温熱強力指圧肩コリ治療器を提供することを課題とする。
【課題を解決するための手段】
【０００４】  以上の課題を解決する本発明は、すこし湾曲したアーム２に指圧玉部３が取り付けられており、Ｂ点に近い方に位置し少し位置が変えられるようにしても良い。反対側には手で握りやすいようにグリップ１を設け、Ｂ点からストッパー５との間をロープ状の物、またはクサリ等４で繋がれて成る強力指圧肩こり治療器でありテコの原理で力を増幅できるような構造を設けたことを特徴とする。テコの原理によりわずかな力で５０Ｋｇまで自由に増幅加圧可能にした。指圧玉部３はさらに血液循環を良くするように温熱機能を持たせることで指圧効果と温熱効果との相乗効果を最大限に期待出来る温熱強力指圧肩コリ治療器である。
【発明の効果】
【０００５】  テコの原理を利用するのでわずかな力しか必要とせず、５０Ｋｇ以上で指圧する事が出来る、大きな力で指圧出来るので凝った深部まで届き、他の治療器では届かない深さまでほぐすことが出来る。こりの原因である溜まった血は確実に他へ移動し新しい血と入れ替わる。よって簡単に完全にコリを取る事が出来る。自然体で使用出来るので疲れない。【０００６】  本発明はシンプルな構造の為着脱、指圧箇所の変更、加圧量の加減も全てワンタッチで出来、家庭でテレビを見ながら手軽に使用出来る。任意の場所に指圧玉を疲れずに５０Ｋｇ以上で指圧するという機能は、従来品には無い機能であり、容易に肩こりを完治せしめる治療機である。この発明においては指圧効果だけでも多大な効果を発揮するが、指圧玉を暖める事により温熱効果と指圧効果の相乗効果により課題達成の温熱強力指圧肩コリ治療器が得られる。
【発明を実施するための最良の形態】
【０００７】この発明の一実施形態を、図１、図２  図３に示す。
図２、図３のようにストッパーに近い部分のロープ状又はクサリを脇の下に挟み、肩こり部分に指圧玉が当たるようにセットし、グリップを握り下へ引っ張る。腕の重みがあるのでわずかな力を加えるだけで良い。Ｂ点に連結ロープ又はクサリを繋ぎ反対側にストッパーを繋ぐことによりＤ点に下向きに力が加わるとＢ点が支点となり指圧部Ｃ点に多大な力を加える事が可能となる。【０００８】この指圧玉部の位置をたとえば図１のようにアームの比率が１：５になる様な位置に設けると、Ｂ点が支点になりテコの原理によりＤ点に１０Ｋｇの力を加える事によりＣ点の指圧玉部は５０Ｋｇまで自由に増幅加圧する事が出来る。【０００９】アームは図１のように少し角度を付け、少ししなる材料を使用することによりＤ点に力を入れた時に指圧玉及びアームが安定し、手が疲れない。指圧玉は左右に位置調整出来るようにしても良い。Ｂ点からストッパー５との間を長さ調節可能なロープ状またはクサリ状の物で連結する。体の大きさに合わせ長さ調節出来るようにする。クサリを使用した場合は図１のようにストッパーにフックを取り付けておく事で長さ調節が容易に行える。５のストッパーは脇の下に挟み後ろに引っ張っても滑らない形状とする。たとえば円盤形状。【００１０】シンプルな構造の為着脱、指圧箇所の変更、加圧量の加減も全てワンタッチで出来、家庭において自然体で、疲れないで、テレビを見ながら手軽に使用出来る強力指圧肩コリ治療器である。【００１１】且つ３の指圧玉部をヒーターで暖める事により指圧効果と温熱効果の相乗効果により効果は２倍以上になり、短期間に肩コリを解消し得る温熱強力指圧肩コリ治療器である。【００１２】ヒーターは温度管理、安全管理を行い任意の温度に設定できる構造とする。たとえばニクロム線による温熱ヒーターで一般家庭で使用可能な交流１００Ｖにより発熱バイメタル式サーモスタットによる温度管理を有し、ヒューズによる安全管理をする。
【実施例】
【００１３】図１はこの発明の実施例であり形状、構造は明白である。アーム２は樹脂のパイプを使用し１５°位曲がっている。指圧玉３の先端は１０ｍｍ球の樹脂を使用、連結ロープ部４は樹脂のクサリを使用。ストッパー５はΦ１００ｍｍ×１０ｍｍ厚の樹脂を使用。ストッパーに脱落防止付きのフックを取り付け、このフックを自分のサイズに合ったクサリの輪に連結する。指圧玉の位置は図１のようにレバー比５：１の位置に設定し、この強力指圧肩コリ治療器を図２、図３のようにストッパー部のクサリを脇の下に挟んで使用する。グリップ部を握り腕の重みプラス５Ｋｇ位力を入れれば、指圧玉部ではテコの原理により５０Ｋｇ以上の大きな力で指圧する事が出来る。
家庭でテレビを見ながら自然体で着衣の上から手軽に使用出来る。任意の場所にワンタッチで変えられる構造である。【００１４】  大きな力で指圧出来る為凝った深部まで届き他の治療器では届かない深さまでほぐすことが出来、こりの原因である溜まった血は確実に他へ移動し新しい血と入れ替わる。よって簡単に完全にコリを取る事が出来る。
またこの指圧玉はヒーターで暖める事によって、指圧効果と温熱効果の相乗効果により２倍以上の効果が期待できる温熱強力指圧肩コリ治療器である。【００１５】「他の実施形態」
図１では、樹脂のクサリの図であったが、他の実施形態では各個人に合った長さ、にワンタッチで変えられる物なら問わない。
【図面の簡単な説明】
【００１６】
【図１】この発明の全体図である。
【図２】この発明の一実施形態を示した側面図である．
【図３】この発明の一実施形態を示した正面図である．
【図４】従来技術Ｙを示した側面図である。
【図５】従来技術Ｚを示した斜視図である。
【符号の説明】
【００１７】１  グリップ
２  アーム
３  温熱可能な指圧玉
４  連結ロープ又は樹脂のクサリ
５  ストッパー
【図１】
2005087701.tif 000003
【図２】
2005087701.tif 000004
【図３】
2005087701.tif 000005
【図４】
2005087701.tif 000006
【図５】
2005087701.tif 000007